(57)【要約】      （修正有）【課題】内部に収容された装置を保護し、放熱効率が良い移動式システムラックを提供する。【解決手段】開放可能な戸板１１、空気入口１０１、及び空気排出口１０２を含むラック本体１０と、ラック本体１０内部に設ける管理ホストコンピュータ、及び管理ホストコンピュータに接続され、環境の状況を検出して、検出メッセージを管理ホストコンピュータにフィードバックする環境検知ユニットを含む環境監視制御装置と、空気排出口１０２に設けられ、かつ管理ホストコンピュータに接続され、ラック本体１０の内部温度が設定温度値を超えたときに稼働を開始し、ラック本体１０の内部温度が設定温度値以下になった後にその稼働が停止されるファン装置３０とを備える。【選択図】図４
0003194265.tif 000002
【実用新案登録請求の範囲】
【請求項１】
移動式システムラックであって、
少なくとも一つの開放可能な戸板と、一つの空気入口と、空気排出口とを含むラック本体と、
前記ラック本体内部に設ける管理ホストコンピュータと、前記管理ホストコンピュータに接続されていて、環境の状況を検出して、検出メッセージを前記管理ホストコンピュータにフィードバックする少なくとも一つの環境検知ユニットを含む環境監視制御装置と、
前記ラック本体の前記空気排出口に設けられ、かつ前記管理ホストコンピュータに接続され、前記ラック本体の内部温度が設定温度値を超えたときに稼働を開始し、前記ラック本体の内部温度が設定温度値以下になった後にその稼働が停止されるファン装置と、を備えることを特徴とする、移動式システムラック。
【請求項２】
前記空気入口を前記ラック本体の底面に取り付け、前記空気出口を前記ラック本体の上面に設けたことを特徴とする、請求項１記載の移動式システムラック。
【請求項３】
前記ラック本体は、前記空気排出口に設ける導流フードをさらに含むことを特徴とする、請求項１記載の移動式システムラック。
【請求項４】
前記ラック本体は、前記空気排出口を被せる隔離層カバーをさらに含み、前記隔離層カバーに複数の放熱穴を設けてあることを特徴とする、請求項１記載の移動式システムラック。
【請求項５】
前記ラック本体は、前記空気入口に対応して設ける濾過装置をさらに含むことを特徴とする、請求項１記載の移動式システムラック。
【請求項６】
前記環境監視制御装置は、前記ラック本体の内部に設ける環境検知ユニットを含み、前記環境検知ユニットは、温度センサーと、湿度センサー、戸板開放センサー、及び水浸入センサーのいずれかの一つとを備えることを特徴とする、請求項１記載の移動式システムラック。
【請求項７】
前記環境監視制御装置は、前記ラック本体の外部に設ける環境検知ユニットを含み、前記環境検知ユニットは近接センサー、煙センサー、モニター装置、空調システムリモコン装置のいずれかの一つを備えることを特徴とする、請求項１記載の移動式システムラック。
【請求項８】
前記環境監視制御装置は、前記管理ホストコンピュータに接続した警報装置をさらに含み、前記環境検知ユニットから異常検出メッセージがフィードバックされたとき、前記警報装置がただちに警告メッセージを発信することを特徴とする、請求項１記載の移動式システムラック。
【請求項９】
前記管理ホストコンピュータが無線または有線方式によって、前記環境検知ユニットからフィードバックされる検出メッセージを遠隔地の監視制御管理装置に伝送することを特徴とする、請求項１記載の移動式システムラック。
【請求項１０】
前記ラック本体の底部に複数のキャスターを設けることを特徴とする、請求項１記載の移動式システムラック。
【請求項１１】
前記ラック本体の底部に高さを調節可能な複数の支持ベースを設けることを特徴とする、請求項１記載の移動式システムラック。
【考案の詳細な説明】
【技術分野】
【０００１】
本考案は、自動高速放熱機能によって、放熱効率を高めた、サーバー装置、交換装置、コンピュータ計器主機などを収容する移動式システムラックに関する。
【背景技術】
【０００２】
近年は、いわゆるクラウド産業の発展がめざましい。また、ホストシステムがデータセンターに集中し、分散箇所でのシステム実行もますます簡素化しており、集中した熱エネルギーを有効にホスト外部の環境に放出させ、ＩＴシステムを最適な温度条件で稼働させるため、一般的には、ＩＴ装置室を設けて適切な冷媒空調装置を取り付け、放熱効果の向上を図っている。
【０００３】
従来のＩＴ装置室は、冷媒空調装置によって、冷たい空気を装置室に取り込んで温度を引き下げる放熱配置が施されている。しかし、ＩＴシステムから発生する高熱がなおほとんど装置室に滞留したままとなって、放熱効果が大きく損なわれる。
一方、データセンターのように専用のＩＴ装置室を構築できない中小企業または部門では、移動式ラックの内部にクラウドシステムを構築した上、ラックを事務エリアの任意位置に置くことができる。
【考案の概要】
【考案が解決しようとする課題】
【０００４】
このように移動式ラックを用いた場合、一般的な環境においてラック内部の集中したエネルギーをラック外部に放出させ、ラック内部のＩＴシステムが適切な環境温度で正常に稼働させることは、重要な課題の一つである。
さらに、専用のコンピュータ装置室が設置されておらず、移動式ラックを開放空間に取り付けて使用する場合は、ラック内部に収容した装置の安全性をいかに確保するかは、有効に解決または改善すべきもう一つの重要課題である。
【課題を解決するための手段】
【０００５】
本考案の移動式システムラックは、少なくとも一つの開放可能な戸板、一つの空気入口、及び空気排出口を含むラック本体と、前記ラック本体内部に設ける管理ホストコンピュータ、及び前記管理ホストコンピュータに接続されていて、環境の状況を検出して、検出メッセージを前記管理ホストコンピュータにフィードバックする少なくとも一つの環境検知ユニットを含む環境監視制御装置と、前記ラック本体の前記空気排出口に設けられ、かつ前記管理ホストコンピュータに接続され、前記ラック本体の内部温度が設定温度値を超えたときに稼働を開始し、前記ラック本体の内部温度が設定温度値以下になった後にその稼働が停止されるファン装置とを備える。
【０００６】
本考案の移動式システムラックは以下の構成を備えることもある。
前記空気入口を前記ラック本体の底面に取り付け、前記空気出口を前記ラック本体の上面に設けた構成。
前記ラック本体は、前記空気排出口に設ける導流フードをさらに含む構成。
前記ラック本体は、前記空気排出口を被せる隔離層カバーをさらに含み、前記隔離層カバーに複数の放熱穴を設けてある構成。
前記ラック本体は、前記空気入口に対応して設ける濾過装置をさらに含む構成。
【０００７】
前記環境監視制御装置は、前記ラック本体の内部に設ける環境検知ユニットを含み、前記環境検知ユニットは、温度センサーと、湿度センサー、戸板開放センサー、及び水浸入センサーのいずれかの一つとを備える構成。
前記環境監視制御装置は、前記ラック本体の外部に設ける環境検知ユニットを含み、前記環境検知ユニットは近接センサー、煙センサー、モニター装置、空調システムリモコン装置のいずれかの一つを備える構成。
前記環境監視制御装置は、前記管理ホストコンピュータに接続した警報装置をさらに含み、前記環境検知ユニットから異常検出メッセージがフィードバックされたとき、前記警報装置がただちに警告メッセージを発信する構成。
前記管理ホストコンピュータが無線または有線方式によって、前記環境検知ユニットからフィードバックされる検出メッセージを遠隔地の監視制御管理装置に伝送する構成。
前記ラック本体の底部に複数のキャスターを設ける構成。
前記ラック本体の底部に高さを調節可能な複数の支持ベースを設ける構成。
【考案の効果】
【０００８】
本考案の移動式システムラックは、ラック本体によって内部の装置が保護されるだけでなく、ラック本体内部が高温になった時、自動的に稼働するファン装置を有するので、このファン装置を稼働して冷たい空気を空気入口からラック本体内部に取り込み、放熱により昇温した空気を空気排出口からラック本体の外部に排出することが可能であり、この結果、放熱効率が向上する。
【図面の簡単な説明】
【０００９】
【図１】本考案の実施例を示す移動式システムラックの斜視図である。
【図２】本考案の実施例を示す移動式システムラックの分解斜視図である。
【図３】図１のＡ−Ａ位置において破断した斜視図である。
【図４】本考案の実施例を示す移動式システムラックの側面図である。
【図５】本考案の実施例を示す移動式システムラックの底面図である。
【図６】本考案の実施例に係る環境制御装置のブロック図である。
【考案を実施するための形態】
【００１０】
以下、本考案の実施例を図面に基づいて詳細に説明する。
図１乃至図５に示すように、本考案の移動式システムラックは、サーバー装置と、交換装置、コンピュータ計器などのホストシステムの取り付けに用いるラック本体１０を有する。
ラック本体１０には、ラック本体１０の内部及び／または外部に対して各種の制御データ情報を提供するための環境監視制御装置が搭載されている。また、ラック本体１０には、ラック本体１０内部のＩＴシステムを良い環境温度に正常稼働を維持するため、高速放熱を提供するファン装置３０をさらに設けられている。
【００１１】
係るラック本体１０は少なくとも一つの開放可能な戸板１１を有する。本実施例においては、ラックの前後部にそれぞれ一つの戸板１１を設けていて、かつ戸板１１に錠前１２を設けられている。戸板１１に組み合わせて使用する錠前１２は選択により、公知のかぎロック、文字合わせロック、または電子ロックのいずれであっても良い。
ラック本体１０の底部に複数のキャスター１３を設けられ、厚くて重いラック本体１０がキャスター１３の転がりによって、最適な位置に移動することができるようになっている。このほかに、ラック本体１０の底部には支持高さを調節可能な複数の支持ベース１４が設けられ、ラック本体１０が指定の固定位置に移動されたとき、支持ベース１４によってラック本体１０が支持され、ラック本体１０を安定して固定できる。
【００１２】
密閉したラック本体１０の内部に良い換気効果を図るため、ラック本体１０に少なくとも一つの空気入口１０１と、一つの空気排出口１０２が設けられている。図４に示すように、空気入口１０１をラック本体１０の下端に設け、空気排出口１０２をラック本体１０の上端に設けて、冷たい空気を空気入口１０１からラック本体１０に取り込んで放熱した後に、最上端の空気排出口１０２を介して、ラック本体１０内部の熱い空気を排出させるようになっている。
【００１３】
図２ないし図４に示すように、ラック本体１０は空気排出口１０２に設ける導流フード１５をさらに含む。この導流フード１５は、空気排出口１０２から排出される熱気流の誘導に用いられ、水が直接に空気排出口１０２に浸入することを防ぐ。
さらに、ラック本体１０は空気排出口１０２に被せる隔離層カバー１６を備え、かつ隔離層カバー１６に複数の放熱穴１６１を設けてある。放熱穴１６１は、水が浸入しにくく、空気排出口１０２と合致する位置に取り付けられている。
図４及び図５に示すように、ラック本体１０は、蚊や虫、粉じんまたは異物が空気入口１０１からラック本体１０に侵入を避けるため、空気入口１０１の設置場所に対応して設ける濾過装置１７をさらに含む。
【００１４】
図６に示すように、環境監視制御装置２０は、ラック本体１０の内部に設置される管理ホストコンピュータ２１と、管理ホストコンピュータ２１に接続した環境検知ユニット２２、２３を備え、様々な環境状況に対応して、環境検知ユニット２２、２３からの検出メッセージが管理ホストコンピュータ２１にフィードバックされる。
ラック本体１０の内部に設ける環境検知ユニット２２は、温度センサー２２１と、湿度センサー２２２と、戸板開放センサー２２３と、水浸入センサー２２４を含むが、この限りでない。
さらに、ラック本体１０の外部に設ける環境検知ユニット２３は、物体接近センサー２３１と、煙センサー２３２と、モニター装置２３３と、空調システムリモコン装置２３４を含むが、この限りでない。
【００１５】
環境監視制御装置２０は、管理ホストコンピュータ２１に接続されており、環境検知ユニット２２、２３から異常検出メッセージがフィードバックされたときに、ただちに警告メッセージ（例えば、警告灯または警告音声）を発信できる、警報装置２４をさらに含んでも良い。
管理ホストコンピュータ２１は無線または有線方式にて、各種の環境検知ユニット２２、２３に接続しており、管理ホストコンピュータ２１が無線または有線方式にて、リアルタイムに検出メッセージを遠隔地のもう一つの監視制御管理装置２５に送信する。さらに、それぞれの環境検知ユニット２２、２３が既定の警告値に達したとき、電子メール、ショートメッセージ、ＡＰＰなどを用いて、管理者に通知し、管理者にリアルタイムにラック本体１０の状態を知らせる。
【００１６】
図２及び図６に示すように、ラック本体１０の空気排出口１０２にファン装置３０を設けてあり、かつファン装置３０を管理ホストコンピュータ２１に接続してある。そして、温度センサー２２１によって、ラック本体１０の内部温度が既定温度値を超えることが検知されたとき、ファン装置３０がただちに稼働を開始され、ラック本体１０の内部温度が既定温度値以下に下がってから、ファン装置３０の稼働が停止される。
【００１７】
以上の説明のように、本考案の移動式システムラックは、放熱効率を向上するための自動高速放熱機能のファン装置３０を有すると共に、それぞれのラック本体１０の内部と外部に設けられた監視制御機能を有する環境検知ユニット２２、２３によって、多種の監視制御情報が提供され、監視制御項目に異常が発生したとき、管理ホストコンピュータ２１から自動に管理者にメッセージを送信し、管理者がラック本体１０の内部と外部環境の稼働状況をリアルタイムに把握し、素早く異常排除の作業に取りかかることを可能にする環境監視制御装置を有する。
【００１８】
以上は、本考案の実施例の説明であって、本考案の権利範囲を限定するものではなく、数値の変更や同等の機能を有する部材への置き換えはいずれも本考案の権利範囲に含まれる。
【符号の説明】
【００１９】
１０            ラック本体
１０１          空気入口
１０２          空気排出口
１１            戸板
１２            錠前
１３            キャスター
１４            支持ベース
１５            導流フード
１６            隔離層カバー
１６１          放熱穴
１７            濾過装置
２０            環境監視制御装置
２１            管理ホストコンピュータ
２２            環境検知ユニット
２２１          温度センサー
２２２          湿度センサー
２２３          戸板開放センサー
２２４          水浸入センサー
２３            環境検知ユニット
２３１          物体接近センサー
２３２          煙センサー
２３３          モニター装置
２３４          空調システムリモコン装置
２５            監視制御管理装置
２４            警報装置
３０            ファン装置
【図１】
0003194265.tif 000003
【図２】
0003194265.tif 000004
【図３】
0003194265.tif 000005
【図４】
0003194265.tif 000006
【図５】
0003194265.tif 000007
【図６】
0003194265.tif 000008